(57)【特許請求の範囲】
【請求項１】
全ての点において平均球値とシリンダ値とを有する非球面を備えると共に、遠視領域（ＶＬ）と、近視領域（ＶＰ）と、中間視領域（ＶＩ）と、これら３つの領域を通過するプログレッション又は遷移部分（ＭＭ’）の主子午線と、倍率増分とを備える多焦点眼用レンズであって、
プログレッションの主長さが１６ｍｍよりも短く、
前記レンズの幾何中心と心合わせされた直径４０ｍｍの円上の平均球値の、該円の中心を通る半線が水平線に対して成す角度（θ）に関する導関数の最大絶対値（｜ｄＳ／ｄθ｜max ）が、前記子午線に沿った平均球値の傾きの最大値（Ｐmer ）の４分の１よりも小さい、すなわち、
｜ｄＳ／ｄθ｜max ／Ｐmer ＜０．２５
であり、前記円の内側のシリンダ値の最大値（Ｃmax ）が前記レンズの見かけ上の倍率増分（Ａnom ）よりも小さい、すなわち、
Ｃmax ＜Ａnom
である多焦点眼用レンズ。
【請求項２】
プログレッションの前記主子午線が、シンリンダ値が０．５ジオプトリーである点によって形成される各線を結ぶ水平線分の中間点によって形成される、請求項１に記載の多焦点眼用レンズ。
【請求項３】
前記近視領域は、前記レンズの下側部分において、シリンダ値が倍率増分の半分に等しい点によって形成される線によって境界を定められており、近視の基準点において１４．５ｍｍより大きい幅を有する、請求項１又は請求項２に記載の多焦点眼用レンズ。
【請求項４】
前記遠視領域は、前記レンズの上側部分において、シリンダ値が倍率増分の半分に等しい点によって形成される線によって境界を定められており、前記レンズの幾何中心から始まる２つの上方に向いた半線によって形成される少なくとも１つの角付扇状部を含み、これらの半線は少なくとも１５０°の角度を有する、請求項１又は請求項２又は請求項３に記載の多焦点眼用レンズ。
【請求項５】
前記レンズの表面のシリンダ値が倍率増分より小さい、請求項１から請求項４のいずれか一項に記載の多焦点眼用レンズ。
【請求項６】
プログレッションの主子午線によって境界を定められている前記レンズの２つの部分における最大シリンダ値の差は０．１ジオプトリーより小さい、請求項１から請求項５のいずれか一項に記載の多焦点眼用レンズ。
【請求項７】
レンズは、近視及び中間視用の多焦点レンズであり、該レンズの幾何中心と心合わせされた半径２０ｍｍの円の内側におけるプログレッションの前記子午線の平均球値の最大値と最小値との差として規定される倍率増分を有する、請求項１から請求項６のいずれか一項に記載の多焦点眼用レンズ。
【請求項８】
プログレッションの主長さが倍率増分と前記子午線に沿った平均球値（Ｐmer ）の傾きの最大値との比として規定される、請求項７に記載の多焦点眼用レンズ。
【請求項９】
前記レンズは、近視領域のための基準点と、遠視領域のための基準点とを有する多焦点プログレッシブレンズであり、該レンズの倍率増分がこれら２つの基準点における平均球値の差として規定される、請求項１から請求項６のいずれか一項に記載の多焦点眼用レンズ。
【請求項１０】
プログレッションの主長さが取り付け中心のｙ軸値と、平均球値が遠視のための前記基準点における平均球値に前記倍率増分の８５％との和に等しい前記子午線上の点のｙ軸値との鉛直方向距離である高さにおける差として規定される、請求項９に記載の多焦点眼用レンズ。
【請求項１１】
前記レンズの表面のシリンダ値が倍率増分の９０％よりも小さい、請求項５に記載の多焦点眼用レンズ。
【請求項１２】
プログレッションの主子午線によって境界を定められている前記レンズの２つの部分における最大シリンダ値の差は０．０５ジオプトリーより小さい、請求項６に記載の多焦点眼用レンズ。
【発明の詳細な説明】
【０００１】
【発明の属する技術分野】
本発明は、その上の全ての各点において平均球値（ｍｅａｎ  ｓｐｈｅｒｅ）とシリンダ値とを有する非球面と、遠視領域と、近視領域と、中間視領域と、これら３つの領域を通過するプログレッション（遷移部分）（ｐｒｏｇｒｅｓｓｉｏｎ）の主子午線とを有する多焦点眼用レンズに関する。なお、本明細書中における、「近視」とは近くを見ることを意味し、同様に「遠視」とは遠くを見ることを意味する。
【０００２】
【従来の技術】
このようなレンズは公知となっており、多焦点レンズの中から、全ての距離の視点に適合されたプログレッシブレンズとして知られるレンズ、及び特に近視及び中間視用のレンズを区別することができる。
多焦点眼用プログレッシブレンズは、遠視領域と、近視領域と、中間領域と、これら３つの領域を通過するプログレッションの主子午線とを備える。本願と一体のものとして参照されるフランス特許出願明細書第２６９９２９４号には、その冒頭において、（プログレッションの主子午線、遠視領域、近視領域等の）多焦点眼用プログレッシブレンズの様々な要素、並びに、このようなレンズの着用者の快適性を向上させるために本願出願人によってなされた研究成果が記載されている。
【０００３】
出願人はさらに、視力のよい人の視覚に関する要求をさらに満足させるため且つ多焦点プログレッシブレンズの快適性を向上させるために、倍率増分値Ａの関数としてプログレッションの主子午線の形状を適合させることを提案している（フランス特許出願明細書第ＦＲ−Ａ−２６８３６４２号）。
このようなレンズのために、倍率増分値Ａが遠視領域の基準点と近視領域の基準点との間の平均球値の変化として定義される。
【０００４】
このようなプログレッシブレンズが通常は着用者の屈折異常及び近視のために必要とされる倍率の関数として処方される。
特に近視用のレンズもあり、このようなレンズは従来のプログレッシブレンズが有するような予め定められた基準点を有する遠視領域を備えていない。このようなレンズが着用者が必要とする近視用倍率に応じて処方され、遠視用倍率とは無関係に処方される。このようなレンズは１９８８年４月付けの「眼鏡屋（Ｏｐｔｉｃｉｅｎ  Ｌｕｎｅｔｉｅｒ）」の記事にに開示されており、エシロア  デルタ（Ｅｓｓｉｌｏｒ  Ｄｅｌｔａ）という商標で本願出願人によって市場で販売されている。このレンズはさらにプログレッシブレンズのように簡単に使用でき且つ容易に着用でき、プログレッシブレンズを装着していない視力のよい人にとって魅力的なものである。このレンズはさらにフランス国特許出願ＦＲ−Ａ−２５８８９７３号に開示されている。このレンズは満足のいく近視を確保するために、視力を矯正するのに一般的に用いられている単焦点レンズと等価である中央部分を有する。さらに、このレンズは上側部分において倍率がわずかばかり小さくされており、着用者が通常の近視野よりも鮮明な視野を有するのを確保する。最後に、レンズは近視のための見かけ上の倍率に等しい倍率値を有する点と、レンズの下側部分にある高倍率領域と、レンズの上側部分にある低倍率領域とを有する。
【０００５】
プログレッシブレンズであろうと近視用レンズであろうと、現在の多焦点レンズを、着用者の快適性を向上させるために中心視性能に関し、さらに改良することができる。多焦点レンズの着用者は実際、動態視に不快感を感ずることが時としてあり、この不快感は頭痛及び吐き気のような症状を引き起こすことがある。このようなレンズも、装着者の最適な快適性を確保するのに十分高い近視領域を維持することにより改良することができる。さらに、中間視および遠視に接して広い視野を設けることが重要である。
【０００６】
【発明が解決しようとする課題】
本発明は、従来のレンズの欠点を克服すると共に、良好な中心視性能を維持しながらも向上した周辺視界を確保し、それによって、着用者がレンズに容易に順応する多焦点レンズを提供する。それにもかかわらず、本発明は、平均球値の急激なプログレッションを確保し、それによって、広い近視面積を存在を確保する。等球値線及び等シリンダ値線の釣合いのとれた分布がさらに達成される。
【０００７】
【課題を解決するための手段】
本発明はその上の全ての点において平均球値およびシリンダ値を有する非球面を備えると共に、遠視領域ＶＬと、近視領域ＶＰと、中間視領域ＶＩと、これら三つの領域を通過するプログレッションの主子午線ＭＭ’とを備え、本明細書で規定されるプログレッションの主長さが１６ｍｍよりも短く、
レンズの幾何中心と心合わせされた直径４０ｍｍの円上の平均球値の、該円の中心を通る半線が水平線に対して成す角度θに関する導関数の最大値｜ｄＳ／ｄθ｜max が前記子午線に沿った平均球値の傾きの最大値Ｐmer の４分の１よりも小さい、すなわち、
｜ｄＳ／ｄθ｜max ／Ｐmer ＜０．２５
であり、
前記円の内側のシリンダ値の最大値Ｃmax がレンズの見かけ上の倍率増分Ａnom よりも小さい、すなわち、
Ｃmax ＜Ａnom
である多焦点眼用レンズを提供する。
【０００８】
有利には、プログレッションの主子午線はシリンダ値が０．５ジオプトリーである点により形成される各線を結ぶ水平線分の中間点により形成される。
近視領域は、前記レンズの下側部分において、シリンダ値が倍率増分の半分に等しい点によって形成される線によって境界を定められており、近視の基準点において１４．５ｍｍより大きい幅を有することができる。
【０００９】
前記遠視領域は、前記レンズの上側部分において、シリンダ値が倍率増分の半分に等しい点によって形成される線によって境界を定められており、好適には、前記レンズの幾何中心から始まる２つの上方に向いた半線によって形成される少なくとも１つの角付扇状部を含み、これらの半線は少なくとも１５０°の角度を有する。
好適には、前記レンズの表面のシリンダ値が倍率増分より小さく、好適には倍率増分の９０％よりも小さくなる。
【００１０】
有利には、プログレッションの主子午線によって境界を定められている前記レンズの２つの部分における最大シリンダ値の差は０．１ジオプトリーより小さく、好適には０．０５ジオプトリーより小さくなる。
１つの実施態様においては、レンズは、近視及び中間視用の多焦点レンズであり、このレンズの幾何中心と心合わせされた半径２０ｍｍの円の内側におけるプログレッションの前記子午線の平均球値の最大値と最小値との差として規定される倍率増分を有する。
【００１１】
この場合には、プログレッションの主長さが倍率増分と前記子午線に沿った平均球値Ｐmer の傾きの最大値との比として規定される。
他の実施様態においては、レンズは、近視領域のための基準点と、遠視領域のための基準点とを有する多焦点プログレッシブレンズであり、このレンズの倍率増分がこれら２つの基準点における平均球値の差として規定される。
【００１２】
この場合には、プログレッションの主長さが取り付け中心と、平均球値が遠視のための前記基準点における平均球値に前記倍率増分の８５％を加えた所にある前記子午線上の点との鉛直方向距離である高さにおける差として規定される。
本発明のさらに別の特徴および利点は添付図面を参照した本発明を限定しない例による本発明の実施態様の以下の記載から、さらに明らかになろう。
【００１３】
【発明の実施の形態】
以下では、ｘ軸がレンズの水平軸に対応し、ｙ軸が鉛直軸に対応する直交座標系が採用される。基準座標系の中心Ｏはレンズの幾何中心である。
図１は公知の眼用プログレッシブレンズの概略前面図であり、このレンズの様々な要素を示している。
【００１４】
図２から図５は本発明によるレンズの光学特性を示しており、このレンズは約６０ｍｍの直径を有する。図２から図５においては、１ジオプターの倍率増分を有するレンズを説明している。
図６から図１１は２又は３ジオプターの倍率増分を有するレンズに関する同様の図を示している。
【００１５】
図１に関して、多焦点眼用レンズの様々な要素を説明する。このようなレンズは一般的に、図１に示される非球面状面と、非球面状又はトロイド状となり得る第２面とを有する。
非球面上のすべての点対し平均球値Ｄが次式によって定義される。
【００１６】
【数１】
0004602493.tif 000002
ここで、Ｒ1 及びＲ2 はメートルで表される最大曲率半径及び最小曲率半径であり、ｎはレンズ材料の屈折率である。
シリンダ値Ｃが次式によって定義される。
【００１７】
【数２】
0004602493.tif 000003
等球値線は、同じ値の平均球値を有するレンズ表面上の複数の点を幾何中心Ｏにおいてプログレッシブ面に接する平面へ射影することによって形成される線である。同様に、等シリンダ値線は、同じシリンダ値を有する複数の点をこの同じ平面へ射影することによって形成される線である。
【００１８】
従来通り、レンズ１は、上側部分の遠くを見るための遠視領域ＶＬと、下側部分の近くを見るための近視領域ＶＰと、これら２つの領域の間の中間領域ＶＩとを備える。プログレッシブレンズに対して、近視が測定される基準点Ｐが近視領域に画定され、遠視が測定される基準点Ｌが遠視領域に画定される。近視用レンズの場合には、基準点Ｐが近視を測定するために近視領域に画定されるが、遠視領域のために対応する基準点は画定されない。
【００１９】
図１において、遠視領域、中間領域及び近視領域を通過するレンズのプログレッションの主子午線２が示されている。この主子午線が０．５０ジオプトリーの等シリンダ値線によって境界を定められた水平線分の中間点の軌跡として定められる。図１の例においては、主子午線が本質的には３つの線分から構成され、その第１の線分はレンズの頂点から概ね鉛直方向に延び、点Ｌを通過して、点Ｄまで下方に延びており、この点Ｄは取り付け中心と称されると共に、遠視制御点Ｌと幾何中心Ｏとの間に位置する。第２の線分は点Ｄからレンズの鼻側へ向かって斜めに延び、第３の線分は第２の線分の端点Ｃから始まって、近視制御点Ｐを通過する。主子午線を他の形状にすることができる。
【００２０】
多焦点眼用プログレッシブレンズの場合には、倍率増分が公知の方法で定められ、この倍率増分は近視領域の基準点Ｐと遠視領域の基準点Ｌの間の平均球値の差である。
近視及び中間視用の多焦点レンズの場合、球値の最小値及び最大値がレンズの幾何中心を中心とする半径２０ｍｍの円の境界内の主子午線上で測定されて定められる。倍率増分は球値のこれら最小値と最大値の間の差であり、この定義はプログレッシブレンズの場合には従来の倍率増分の定義、すなわち、近視に関する基準点と遠視に関する基準点の間の球値の差、と実質的に等価である。
【００２１】
これらの定義に関して、レンズの上側部分の遠視領域の境界が倍率増分の半分に等しい値の等シリンダ値線によって形成されると一般的には考えられている。
同様に、レンズの下側部分の近視領域の境界が倍率増分の半分に等しい値の等シリンダ値線によって定められる。
図１に示される内側の円は日常生活をするときに眼によって走査される領域を表す。中心視領域として知られるこの部分の寸法及び位置は出願人の研究所で行われた多数の一連の測定によって求められており、１９９２年、ＩＥＥＥ、薬工学及び生物工学部会の第１４回年次国際会議の予稿集の第４部の第１６６８〜１６６９頁のＩＥＥＥのＴ．ボニン（Ｂｏｎｎｉｎ）とＮ．バー（Ｂａｒ）による携帯型眼運動記録計、１９９３年、ＡＡＯ、１９９３年の検眼と視覚科学（Ｏｐｔｏｍｅｔｒｙ  ａｎｄ  ｖｉｓｉｏｎ  ｓｃｉｅｎｃｅ）の第１２号の第７０巻の第１５４頁、Ｎ．バー、Ｔ．ボニン及びＣ．ペドレノ（Ｐｅｄｒｅｎｏ）の「眼用非球面レンズの最適化−日常の仕事に関する視点運動の記録（Ｏｐｔｉｍｉｚａｔｉｏｎ  ｏｆ  ｏｐｈｔｈａｌｍｉｃ  ａｓｐｈｅｒｉｃ  ｌｅｎｓｅｓ：ｒｅｃｏｒｄｉｎｇ  ｏｆ  ｅｙｅ  ｍｏｖｅｍｅｎｔ  ｆｏｒ  ｅｖｅｒｙｄａｙ  ｔａｓｋｓ）」、又は９３年、ＥＣＥＭ、Ｎ．バーによるポスタの「視覚空間の使用（Ｔｈｅ  ｕｓｅ  ｏｆ  ｖｉｓｕａｌ  ｓｐａｃｅ）」が例として参照されることができる。この領域は取り付け中心を中心とする直径３０ｍｍの円盤を網羅している。
【００２２】
着用者にとって最高の視覚快適性を確保するために、中心視領域を取り囲む、レンズの幾何中心と心合わせされた直径４０ｍｍの円盤を考え、この円に沿った球値の接線変動を制限することを試みた。この円に沿った球値における変動を制御することは多焦点表面の光学特性における歪みを抑制することを可能とさせ、着用者の周辺視界が改善される。直径４０ｍｍの円の内側においてシリンダ値のような欠点が抑制され、それによって、中心視領域の内側の鮮明な視界ができる限り確保されることがさらに望ましい。この円が図１、図３、図７、及び図１０に示されている。
【００２３】
レンズのプログレッションの緩慢度合いを改善すると共に、着用者がレンズに順応することを容易にするために、本発明は、以下の図面に関して説明されるレンズ表面の特性の新しい定義を検討することに着手する。図面は多焦点プログレッシブレンズの場合を示しているが、本発明は必要な変更を加えて近視用多焦点レンズにも適用される。
【００２４】
図２は本発明によるレンズの主子午線に沿った倍率を示すグラフであり、このレンズの倍率増分は１ジオプトリーである。図１のグラフのｙ軸座標はレンズ上のｙ軸座標であり、ｘ軸座標は遠視領域の基準点との倍率の差をジオプトリー単位で与える。
子午線に沿ったｙ軸上にあるｙ＝８ｍｍの値を有する点は遠視領域の基準点Ｌに対応し、この基準点Ｌは図２の場合には最小球値の点であり、この点においては、平均球値は５．２ジオプトリーで、シリンダ値は０．０１ジオプトリーであり、子午線上の−１４ｍｍのｙ軸値を有する点は近視領域の基準点Ｐであり、この点においては、平均球値は６．２０ジオプトリーで、シリンダ値は０．０１ジオプトリーである。
【００２５】
多焦点プログレッシブレンズの場合、取り付け中心のｙ軸値と、平均球値が遠視領域の基準点における平均球値と倍率増分の８５％との和に等しい子午線上の点のｙ軸値との高さにおける差としてプログレッションＬppの主長さが定義される。図２の例においては、ｙ軸座標の値がｙ＝−８．４ｍｍである点における平均球値は遠視基準点における平均球値に対し倍率増分よりも８５％高く、取り付け中心がｙ軸上のｙ＝４ｍｍの位置する場合には、プログレッションの主長さは１２．４ｍｍである。
【００２６】
近視及び中間視用の多焦点プログレッシブレンズに関して、プログレッションの主長さは上述されたように定義される倍率増分と子午線に沿った平均球値の傾きとの比であり、これは次式で表される。
Ｌpp＝（Ｓmax −Ｓmin ）／Ｐmer 
ここで、Ｓmax 及びＳmin はそれぞれ子午線上の球値の最大値及び最小値であり、Ｐmer は子午線に沿った平均球値の傾きの最大値であり、球値の傾きはｘ及び／又はｙに関する球値の最大傾斜率に相当する。この比Ｌppは長さと等価であり、平均球値がそこに沿って倍率増分に相当する値だけ増加する長さを表す。
【００２７】
いずれの場合にも、プログレッションの主長さは倍率増分と実質的に等しい平均球値の変化に相当する子午線に沿った位置を表している。
図２は、第一に、球値が点Ｌの上方の遠視領域において実質的に一定を保つことを示している。図２はさらに、球値が点Ｐ付近の近視領域において実質的に一定を保つことを示している。さらに、図２はプログレッションの主長さが短く、とりわけ、１６ｍｍよりも短いことを示している。以上のことは近視制御点の上方に延在する領域に満足される近視界を確保し、着用者が頭を動かす必要性を無くす。したがって、快適で広範囲な近視界が確保される。子午線上の球値の最大の傾きは０．０８５ジオプトリー／ｍｍである。
【００２８】
図３は図２のレンズの前面図であり、プログレッションの主子午線及び等しい平均球値の線とを示している。図２に示されるそれらの要素が等球値線と共に図３に示される。図３の等球値線はそれぞれ遠視制御点Ｌにおける平均球値に対して０．２５、０．５、０．７５又は１ジオプトリーだけ大きい平均球値を表している線１１、１２、１３、及び１４である。さらに、レンズの幾何中心に心合わせされている直径４０ｍｍの円が示されている。
【００２９】
図４は図２のレンズの前面図であり、プログレッションの主子午線及び等シリンダ値線を示している。図２に示されているそれらの要素は図４にも存在する。
シリンダ値がプログレッションの主子午線に沿って低いので、各シリンダ値の値に関して２つの等シリンダ値線がある。図４の等シリンダ値線は、それぞれ０．２５、０．５０、０．７５ジオプトリーのシリンダ値を表す線１６及び１６’と、線１７及び１７’と、線１８及び１８’である。
【００３０】
上で示されたように、レンズの上側部分においては、遠視領域の境界が０．５ジオプトリー等シリンダ値線１７及び１７’によって実質的に形成される。したがって、本発明のレンズはレンズの上側半分の殆ど全てを覆って拡がる広い遠視領域を有する。
レンズの下側半分においては、近視領域の境界がさらに０．５ジオプトリー等シリンダ値線１７及び１７’によって実質的に形成される。
【００３１】
半径２０ｍｍの円の内側のレンズの表面におけるシリンダ値の最大値は０．８８ジオプトリーであり、この値が座標ｘ＝１６、ｙ＝−８を有する点において得られ、この最大値は倍率増分よりも小さい。
この最大値が鼻側で得られ、側頭側にあるシリンダ値の最大値は０．８３ジオプトリーであり、レンズの幾何中心から１０ｍｍ離れているｘ＝−８、ｙ＝−６の点で得られる。レンズの鼻側及び側頭側の最大シリンダ値の差は０．０５ジオプトリーより小さい。本発明は、この変化を０．１ジオプトリーより小さくする、好適には０．０５ジオプトリーより小さくすることを提案する。
【００３２】
図５は、レンズの幾何中心に心合わせされた半径２０ｍｍの円に関して、球値の導関数を角度の関数として示しており、ｘ軸は目盛りが度単位であり、半径２０ｍｍの円の中心を通る半線が水平に対して成す角度θを与える。図５から、導関数の最大絶対値（ｍａｘｉｍｕｍ  ｍｏｄｕｌｕｓ）は０．０１８ジオプトリー／°であり、この値は３１０°に近いθ値で、すなわち、レンズの下側部分で得られる。
【００３３】
したがって、図２から図５のレンズは、プログレッションが緩やかで、着用者にとって順応が容易になされることを確保する。
定量的には、このことが以下の関係によって表される。
Ａ／Ｐmer ＜１６ｍｍ                    （１）
｜ｄＳ／ｄθ｜max ／Ｐmer ＜０．２５    （２）
Ｃmax ＜Ａnom                           （３）
これらの関係において、｜ｄＳ／ｄθ｜max はレンズの幾何中心に心合わせされた半径２０ｍｍの円に関する平均球値の正接導関数（ｔａｎｇｅｎｔｉａｌ  ｄｅｒｉｖａｔｉｖｅ）の最大絶対値であり、Ｐmer は子午線に沿った平均球値の傾きの最大値で、ジオプトリー／ｍｍ単位であり、Ｃmax は上述の半径２０ｍｍの円の内側のシリンダ値の最大値であり、Ａnom はレンズの倍率増分の見かけ上の値で、ジオプトリー単位である。
【００３４】
したがって、値０．２５はｍｍ／°単位である。
上で説明されたように関係（１）はレンズのプログレッションの主長さを制限する。
関係（２）は半径２０ｍｍの円に沿った球値の変化があまり急激ではないことを表している。角度に関する導関数の代わりに、円形に湾曲したｘ軸に関する導関数を使用することもできる。円上の平均球値の正接導関数という語は半径２０ｍｍの円の中心を通る半線が水平線に対して成す角度θに関する平均球値の導関数を意味し、この導関数の計算は簡単な数学的作業である。
【００３５】
この関係において、因子１／Ｐmer は異なる倍率増分を有するレンズを比較することを可能にする正規化因子である。
第３の関係はレンズの表面のシリンダ値の変化を制限する。
これら２つの関係を組み合わせることは、等球値線及び等シリンダ値線がレンズの表面中に都合よく分布していることを確保させ、それによってレンズのプロギレッションが非常に緩やかであることを確保する。
【００３６】
出願人によって試験された従来技術のあらゆる多焦点眼用レンズは関係（１）、（２）及び（３）の組み合わせを満足しない。本発明は、等シリンダ値線及び等球値線のこのような分布を始めて提供するものである。
図６から図８は図２から図４と同様の図であるが、２ジオプトリーの倍率増分を有するレンズに関するものであり、図９から図１１は図２から図４と同様の図であるが、３ジオプトリーの倍率増分を有するレンズに関するものである。図７及び図８に関して、等球値線と等シリンダ値線はそれぞれ０．５０ジオプトリー刻みで示されており、図９及び図１１に関して、等球値線と等シリンダ値線はそれぞれ０．２５ジオプトリー刻みで示されている。
【００３７】
各レンズに関して、関係（１）から（３）が満足される。図２から図５のレンズの場合には、以下のようになる。
Ａ／Ｐmer ＝１２．４ｍｍ
｜ｄＳ／ｄθ｜max ／Ｐmer ＝０．２２
Ｃmax ＝０．８８＜Ａnom ＝１．００ジオプトリー
倍率増分が２ジオプトリーのレンズ及び倍率増分が３ジオプトリーのレンズに関して、比（関係（１）及び（２））は実質的に同一であり、最大シリンダ値は、一方の側では、Ｃmax ＝１．７５＜Ａnom ＝２．００ジオプトリーであり、他方の側では、Ｃmax ＝２．６５＜Ａnom ＝３．００ジオプトリーである。
【００３８】
本発明は、関係（１）、（２）及び（３）を組み合わせて本発明のレンズの性能を向上させることを可能とさせる他の有利な特徴を提供する。
図２に関して上述されたように、プログレッションの主長さは、有利には１６ｍｍより短く、倍率増分が１ジオプトリーのレンズに関しては１２．４ｍｍであり、２ジオプトリーの倍率増分のレンズ及び３ジオプトリーの倍率増分のレンズに関しても、プログレッションの主長さは実質的に同じ値を有する。従来技術のレンズにおいては、このようにプログレッションの長さが短いことは一般的に着用者にとって周辺視界に歪みを生じさせることにつながるが、本発明によれば、関係（１）、（２）及び（３）によって表される条件のために、このプログレッションの長さが短いことは着用者にとっての不便さをなんら生じさせない。
【００３９】
本発明はさらに、近視用の基準点において少なくとも１４．５ｍｍの幅を有する近視領域を提供し、Ａが倍率増分であるとすると、この幅が上で定義されたＡ／２の各等シリンダ値線の間の点Ｐのｙ軸座標で測定される。図３に見られるように、倍率増分が１ジオプトリーの場合には、近視領域の幅は１７ｍｍである。
２ジオプトリーの倍率増分を有するレンズ及び２ジオプトリーの倍率増分を有するレンズに関しても、近視領域の幅はこの値と実質的に等しい。
【００４０】
本発明の１つの実施形態においては、遠視領域はレンズの幾何中心から始まる２つの半線によって形成される少なくとも１つの扇状部を備え、レンズの上側に向かって向いている角度は約１５０°である。図４に見られるように、倍率増分が１ジオプトリーの場合には、対応する半線１９及び１９’の間の角βは１５３°である。２ジオプトリーの倍率増分と、同じく３ジオプトリーの倍率増分に関しても、この角は実質的に同じである。近視領域は、Ａが上で定義されたように倍率増分であるとすると、レンズの上側部分で、等シリンダ値がＡ／２の線によって境界を定められている。対応する半線が図８及び図１１に描かれている。
【００４１】
両眼視力を向上させるために、本発明はプログレッションの主子午線によって境界を定められたレンズの２つの部分間の最大シリンダ値の差が０．１０ジオプトリーより小さくなるようにする。図４の場合には、１ジオプトリーの倍率増分に関して、鼻側（図４の右手側）の最大シリンダ値は０．８８ジオプトリーであり、側頭側では、最大シリンダ値は０．８３ジオプトリーである。図８のレンズ（倍率増分が２ジオプトリー）では、対応する値は１．７４ジオプトリーと１．６９ジオプトリーであり、図１１のレンズ（３ジオプトリーの倍率増分）では、対応する値は２．６５ジオプトリーと２．６０ジオプトリーである。
【００４２】
有利には、レンズのシリンダ値は倍率増分より小さく、好適には倍率増分の９０％よりも小さい。例として、最大シリンダ値は、１ジオプトリーの倍率増分の場合には０．８８ジオプトリー、２ジオプトリーの倍率増分の場合には１．７４ジオプトリー、３ジオプトリーの倍率増分の場合には２．６５ジオプトリーである。
【００４３】
本発明による様々なレンズを提供することを可能とさせる様々な特徴の詳細を以下に説明する。それ自体公知であるように、レンズの表面は連続しており、連続して３度派生し得る。当業者にとって公知であるように、プログレッシブレンズの表面が、特定数のレンズパラメータに関する境界条件を設定してコンピュータを使用してデジタル最適化によって得られる。
【００４４】
上述の通り定義された２つの関係の組み合わせが、適切であるあるならば、上述の通り定義された基準の一つ又は幾つかと共に境界条件として使用されることができる。
これらの基準は遠視領域に基準点を有し且つ近視領域に基準点を有する従来の多焦点プログレッシブレンズと近視用の多焦点レンズとの両方に適用される。
【００４５】
有利には、一群の各レンズに対し、プログレッションの主子午線を定めることから始めることができる。このために、本願と一体のものとして参照される上述されたフランス特許出願第ＦＲ−Ａ−２６８３６４２号の教示が用いられる。本発明の教示を適用するために、プログレッションの主子午線の他のあらゆる定義が用いられることができる。
【００４６】
明らかに、本発明は上記の記載に限定されるものではなく、数ある中で、非球面をレンズの着用者に対面する表面とすることができる。さらに、両眼に対して異ならせることができるレンズについての記載についてこれまで一切記載されていないが、これは当然適用される。
【図面の簡単な説明】
【図１】多焦点プログレッシブレンズの概略前面図である。
【図２】本発明によるレンズの子午線に沿った倍率の変化を線図である。
【図３】プログレッションの主子午線及び平均球値のレベルを示す線を示す図２のレンズの前面図である。
【図４】プログレッションの主子午線及びシリンダ値レベルを示す線を示す図２のレンズの前面図である。
【図５】レンズの幾何中心に中心を置かれた半径２０ｍｍの円の角度の関数として球値の導関数を示す。
【図６】倍率増分が２ジオプトリーの場合における図２と同様の図である。
【図７】倍率増分が２ジオプトリーの場合における図３と同様の図である。
【図８】倍率増分が２ジオプトリーの場合における図４と同様の図である。
【図９】倍率増分が３ジオプトリーの場合における図２と同様の図である。
【図１０】倍率増分が３ジオプトリーの場合における図３と同様の図である。
【図１１】倍率増分が３ジオプトリーの場合における図４と同様の図である。
【符号の説明】
１…レンズ
２…プログレッションの主子午線
ＶＬ…遠視領域
ＶＰ…近視領域
ＶＩ…中間視領域
【図１】
0004602493.tif 000004
【図２】
0004602493.tif 000005
【図３】
0004602493.tif 000006
【図４】
0004602493.tif 000007
【図５】
0004602493.tif 000008
【図６】
0004602493.tif 000009
【図７】
0004602493.tif 000010
【図８】
0004602493.tif 000011
【図９】
0004602493.tif 000012
【図１０】
0004602493.tif 000013
【図１１】
0004602493.tif 000014